(57)【要約】  需要家が満足する電気料金体系への変更を、需要家に決断させることができる料金体系選択支援システム、および料金体系選択支援方法を提供する。サーバ（４）は、月間電力購入量が第１需要家（９０１）と同ランクにあるとみなせる需要家を、管理対象となる全ての需要家（９００）から第２需要家（９０２）として抽出する。そして、サーバ４は、第２需要家（９０２）の月間電力購入量、月間電気料金、電気料金体系の各情報を含む支援情報を生成して、表示端末３へ送信する。
2015198524.tif 000002
【特許請求の範囲】
【請求項１】
複数の需要家のそれぞれで購入された電力購入量に関する複数の電力情報、前記複数の需要家のそれぞれにおける電気料金に関する複数の料金情報、前記複数の需要家のそれぞれにおける電気料金体系に関する複数の料金体系情報を記憶する記憶部と、
前記複数の需要家のうち１つの第１需要家の対象期間における当該第１需要家で購入された電力購入量を上回る所定の範囲内に前記対象期間における電力購入量が属する第２需要家を前記複数の需要家から抽出し、前記複数の電力情報のうち前記第２需要家で前記対象期間に購入された電力購入量に関する電力情報、前記複数の料金情報のうち前記対象期間における前記第２需要家の電気料金に関する料金情報、および前記複数の料金体系情報のうち前記第２需要家の電気料金体系に関する料金体系情報を前記記憶部から取得する情報取得部と、
前記情報取得部で取得された前記電力情報、前記料金情報、および前記料金体系情報を含む支援情報を生成する情報生成部と、
前記複数の需要家のそれぞれに対応付けられた複数の表示端末と、
前記支援情報を前記複数の表示端末のうち前記第１需要家に対応する表示端末へ送信する通信部とを備え、
前記第１需要家に対応する前記表示端末は、前記支援情報を画面に表示する
ことを特徴とする料金体系選択支援システム。
【請求項２】
前記情報取得部は、前記複数の需要家のうち、前記対象期間における前記第１需要家の電気料金より低い電気料金の需要家を前記第２需要家として抽出することを前記第２需要家の抽出条件に付加することを特徴とする請求項１記載の料金体系選択支援システム。
【請求項３】
前記記憶部、前記情報取得部、前記情報生成部、前記通信部を備えるサーバと、
前記複数の需要家のそれぞれに対応して設置されて、前記サーバと通信可能に構成された複数の電力管理装置と、
前記複数の需要家のそれぞれに対応して設置されて、対応する需要家で購入された電力を測定し、対応する電力管理装置へ測定結果を送信する複数の計測部とを備え、
前記複数の電力管理装置のそれぞれは、
前記複数の計測部のうち対応する計測部から受信した電力の測定結果に基づいて、前記複数の需要家のうち対応する需要家で購入された電力購入量に関するデータを作成する電力算出部と、
前記複数の需要家のうち対応する前記需要家における電気料金体系に関するデータを記憶する需要家側記憶部と、
前記複数の計測部のうち対応する前記計測部から受信した前記電力の測定結果および前記需要家側記憶部に記憶されている前記需要家の電気料金体系に関するデータに基づいて、電気料金に関するデータを作成する料金算出部と、
前記電力算出部が算出した前記電力購入量に関するデータ、前記需要家側記憶部に記憶されている前記電気料金体系に関するデータ、前記料金算出部が作成した前記電気料金に関するデータを前記サーバへ送信するデータ送信部とを備え、
前記サーバは、前記複数の電力管理装置の前記データ送信部のそれぞれから受信した前記電力購入量に関するデータを電力情報として、前記電気料金体系に関するデータを料金体系情報として、前記電気料金に関するデータを料金情報として、前記記憶部に格納する
ことを特徴とする請求項１または２記載の料金体系選択支援システム。
【請求項４】
前記記憶部は、さらに需要家の属性を前記複数の需要家のそれぞれに対応させて記憶しており、
前記情報取得部は、前記複数の需要家のうち、前記第１需要家に対応する属性と一致する属性の需要家を前記第２需要家として抽出することを前記第２需要家の抽出条件に付加する
ことを特徴とする請求項１乃至３いずれか記載の料金体系選択支援システム。
【請求項５】
前記複数の電力管理装置のそれぞれは、対応する需要家の属性のデータを前記データ送信部から前記サーバへ送信し、
前記サーバは、受信した前記属性のデータを送信元の前記電力管理装置に対応する需要家に対応させて前記記憶部に記憶させ、前記情報取得部は、前記属性が前記第１需要家と一致することを前記第２需要家の抽出条件に付加する
ことを特徴とする請求項３記載の料金体系選択支援システム。
【請求項６】
前記複数の需要家のそれぞれに対応する前記属性は、対応する需要家が位置する地域、当該需要家内の人員構成、分散電源の有無、分散電源の発電容量、当該需要家の建屋条件のうち少なくとも１つ以上を含むことを特徴とする請求項４または５記載の料金体系選択支援システム。
【請求項７】
前記複数の需要家のそれぞれで購入された電力購入量は、当該需要家で実際に消費された実需要電力量から、分散電源の発電電力のうち当該需要家で消費された自己消費電力を差し引いた値であることを特徴とする請求項１乃至６いずれか記載の料金体系選択支援システム。
【請求項８】
前記電気料金は、前記電力購入量に対応する電気料金から需要家における売電による収入を差し引いた値であることを特徴とする請求項１乃至７いずれか記載の料金体系選択支援システム。
【請求項９】
記憶部は、複数の需要家のそれぞれで購入された電力購入量に関する複数の電力情報、前記複数の需要家のそれぞれにおける電気料金に関する複数の料金情報、前記複数の需要家のそれぞれにおける電気料金体系に関する複数の料金体系情報を記憶し、
情報取得部は、前記複数の需要家のうち第１需要家の対象期間における当該第１需要家で購入された電力購入量を上回る所定の範囲内に前記対象期間における電力購入量が属する第２需要家を前記複数の需要家から抽出し、前記複数の電力情報のうち前記第２需要家で前記対象期間に購入された電力購入量に関する電力情報、前記複数の料金情報のうち前記対象期間における前記第２需要家の電気料金に関する料金情報、および前記複数の料金体系情報のうち前記第２需要家の電気料金体系に関する料金体系情報を前記記憶部から取得し、
情報生成部は、前記情報取得部で取得された前記電力情報、前記料金情報、および前記料金体系情報を含む支援情報を生成し、
複数の表示端末は、前記複数の需要家のそれぞれに対応付けられており、
通信部は、前記支援情報を前記複数の表示端末のうち前記第１需要家に対応する表示端末へ送信し、
前記第１需要家に対応する前記表示端末は、前記支援情報を画面に表示する
ことを特徴とする料金体系選択支援方法。
【発明の詳細な説明】
【技術分野】
【０００１】
本発明は、一般に料金体系選択支援システム、および料金体系選択支援方法、より詳細には需要家における電気料金体系の決定を支援する料金体系選択支援システム、および料金体系選択支援方法に関する。
【背景技術】
【０００２】
建物および施設等である需要家内の人（電力需要者）は、電力会社等の電気事業者から供給された電気を使用し、その対価を電気料金として支払っている。現在、様々な電気料金体系が用意されており、電力需要者は、電力消費量、電気の使用時間帯、電気の使用場所等の使用形態に応じて、適した電気料金体系を選択して電気事業者と契約する。しかし、電気料金体系は多種多様にわたるため、電力需要者自身が最適な電気料金体系を選択することは難しい。【０００３】
そこで、需要家で使用されている電力量の計測を行い、この計測値をもとに電気料金シミュレーションを行い、需要家での使用実態に沿う電気料金体系を提示するシステムが提案された（例えば、文献１「日本国特許公開番号２００８−１４６１１６」参照）。【０００４】
上述の文献１によれば、シミュレーションによって需要家での使用実態に沿う電気料金体系が提示される。例えば、現在の電気料金体系による電気料金と、シミュレーションによって電気料金が最も低価格となった電気料金体系およびその場合の電気料金とが、対比して提示される。【０００５】
しかしながら，電力需要者は、電気料金体系の変更に対しての心理的負担があるため、提示された電気料金体系への変更を実際に実行するまでには容易に至らないという問題があった。
【発明の概要】
【０００６】
本発明は、上記事由に鑑みてなされており、その目的は、電力需要者が満足する電気料金体系への変更を、電力需要者に決断させることができる料金体系選択支援システム、および料金体系選択支援方法を提供することにある。
【０００７】
本発明の一態様である料金体系選択支援システムは、複数の需要家のそれぞれで購入された電力購入量に関する複数の電力情報、前記複数の需要家のそれぞれにおける電気料金に関する複数の料金情報、前記複数の需要家のそれぞれにおける電気料金体系に関する複数の料金体系情報を記憶する記憶部と、前記複数の需要家のうち第１需要家の対象期間における電力購入量を上回る所定の範囲内に前記対象期間における電力購入量が属する第２需要家を前記複数の需要家から抽出し、前記複数の電力情報のうち前記第２需要家で前記対象期間に購入された電力購入量に関する電力情報、前記複数の料金情報のうち前記対象期間における前記第２需要家の電気料金に関する料金情報、および前記複数の料金体系情報のうち前記第２需要家の電気料金体系に関する料金体系情報を前記記憶部から取得する情報取得部と、前記情報取得部で取得された前記電力情報、前記料金情報、および前記料金体系情報を含む支援情報を生成する情報生成部と、前記複数の需要家のそれぞれに対応付けられた複数の表示端末と、前記支援情報を前記複数の表示端末のうち前記第１需要家に対応する表示端末へ送信する通信部とを備え、前記第１需要家に対応する前記表示端末は、前記支援情報を画面に表示することを特徴とする。
【０００８】
本発明の一態様である料金体系選択支援方法は、記憶部は、複数の需要家のそれぞれで購入された電力購入量に関する複数の電力情報、前記複数の需要家のそれぞれにおける電気料金に関する複数の料金情報、および前記複数の需要家のそれぞれにおける電気料金体系に関する複数の料金体系情報を記憶し、情報取得部は、前記複数の需要家のうち第１需要家の対象期間における電力購入量を上回る所定の範囲内に前記対象期間における電力購入量が属する第２需要家を前記複数の需要家から抽出し、前記複数の電力情報のうち前記第２需要家で前記対象期間に購入された電力購入量に関する電力情報、前記複数の料金情報のうち前記対象期間における前記第２需要家の電気料金に関する料金情報、前記複数の料金体系情報のうち前記第２需要家の電気料金体系に関する料金体系情報を前記記憶部から取得し、情報生成部は、前記情報取得部で取得された前記電力情報、前記料金情報、前記料金体系情報を含む支援情報を生成し、複数の表示端末は、前記複数の需要家のそれぞれに対応付けられており、通信部は、前記支援情報を前記複数の表示端末のうち前記第１需要家に対応する表示端末へ送信し、前記第１需要家に対応する前記表示端末は、前記支援情報を画面に表示することを特徴とする。
【０００９】
上述した料金体系選択支援システムおよび料金体系選択支援方法では、電力需要者が満足する電気料金体系への変更を、電力需要者に決断させることができるという効果がある。
【図面の簡単な説明】
【００１０】
【図１】実施形態のシステム構成を示すブロック図である。
【図２】実施形態の電力管理装置の構成を示すブロック図である。
【図３】実施形態の第２需要家の抽出処理を説明するための説明図である。
【図４】実施形態の第２需要家の別の抽出処理を説明するための説明図である。
【図５】実施形態の支援情報の表示例を示す平面図である。
【発明を実施するための形態】
【００１１】
以下、本発明の実施の形態を図面に基づいて説明する。
【００１２】
（実施形態）
図１は、本実施形態の料金体系選択支援システムの構成を示す。この料金体系選択支援システムは、計測部１、電力管理装置２、表示端末３、サーバ４、検針メータ５、分電盤６、太陽電池７、蓄電池８、パワーコンディショナ９を備える。
【００１３】
本料金体系選択支援システムは、複数の電気の需要家９００内の複数の人（電力需要者）に対して電気料金体系（電気料金プラン）の選択支援を行う。複数の需要家９００のそれぞれには、計測部１、電力管理装置２、表示端末３、検針メータ５、分電盤６が設けられており、各需要家９００は、必要に応じて太陽電池７、蓄電池８、パワーコンディショナ９を備える。
【００１４】
分電盤６は、需要家９００内、例えば集合住宅の各住戸、戸建住宅、工場、事務所等の建屋内に引き込まれたＡＣ１００／２００Ｖの幹線電路１００が接続され、幹線電路１００を介して、電力会社の等の電気事業者の電力系統から商用電力が供給される。また検針メータ５が、幹線電路１００に設けられており、商用電源の電力供給量を計測し、この計測結果（検針データ）を無線通信、電力線搬送通信等を用いて送信する通信機能を具備する。この検針メータ５の通信機能は、検針データを遠隔地にある上位装置が収集する遠隔検針等に用いられる。
【００１５】
そして分電盤６は、分岐部６１を備え、さらに計測部１を内蔵している。分岐部６１は、複数の分岐ブレーカから構成されており、幹線電路１００は、分岐部６１を介して、需要家９００（建屋）内に敷設した複数の分岐電路１０１に分岐する。計測部１は、需要家９００における各種電力を計測する機能と、電力管理装置２との間で無線通信を行う機能とを有する。計測部１は、実需要電力、購入電力、自己消費電力、売電電力を計測する。実需要電力は、需要家９００で実際に消費された電力（蓄電池８の充電電力を含む）である。購入電力は、商用電源から需要家９００に供給されて需要家９００で購入される電力である。自己消費電力は、太陽電池７の発電電力のうち需要家９００で消費された電力である。売電電力は、太陽電池７の発電電力のうち売電された電力である。この計測部１は、電流を測定するロゴスキーコイルまたは変流器を用いて構成される。また、計測部１は、分電盤６の外部に設けられてもよい。そして、分岐電路１０１のそれぞれは、空調装置、照明装置、テレビ等の電気機器２００が１つ以上接続され、分岐電路１０１はこれらの電気機器２００へ動作電力を供給する。
【００１６】
そして、需要家９００の電力需要者は、上述の需要家９００（建屋）に商用電力の供給を受けて電気を使用するために、電力会社等の電気事業者と契約し、電気事業者から電気を購入して、その対価を電気料金として支払っている。そして、電気事業者は、様々な電気料金体系を用意しており、需要家９００は、電力消費量、電気の使用時間帯、電気の使用場所等の使用形態に応じて、適した電気料金体系を選択して電気事業者と契約する。電気事業者が用意する複数種類の電気料金体系の一例としては、「従量電灯」、「朝得プラン」、「夜得プラン」、「半日お得プラン」の他、オール電化住宅用の電気料金体系、別途売電契約を行っている場合の電気料金体系などがある。ただし、選択肢に含まれる電気料金体系は上記の種類に限定する趣旨ではなく、電気事業者によってはさらに別の種類の電気料金体系を選択可能である。
【００１７】
さらに、太陽電池７は太陽光によって発電して、この発電電力をパワーコンディショナ９へ出力する。パワーコンディショナ９は、太陽電池７の発電電力を交流電力に変換して分岐電路１０１に出力する。パワーコンディショナ９は、分岐電路１０１に供給する交流出力を、商用電力に協調させる系統連系運転機能を有する。さらに、パワーコンディショナ９は、太陽電池７の発電電力を電気機器２００に供給するだけでなく、太陽電池７の発電電力を幹線電路１００から商用電源側へ逆潮流させて売電することもできる。
【００１８】
また、パワーコンディショナ９は、蓄電池８の充放電機能も備えており、商用電力、太陽電池７の発電電力を用いて蓄電池８を充電し、蓄電池８の放電電力を分岐電路１０１に出力する。
【００１９】
電力管理装置２は、図２に示すように、記憶部２１（需要家側記憶部）と、データ管理部２２と、料金算出部２３と、電力算出部２４と、通信部２５（データ送信部）と、無線通信部２６とを備える。通信部２５は、ルータを通してインターネット等の広域ネットワーク３００に接続している。
【００２０】
サーバ４は、図１に示すように、記憶部４１と、情報取得部４２と、情報生成部４３と、通信部４４とを備える。通信部４４は、広域ネットワーク３００に接続しており、電力管理装置２の通信部２５とサーバ４の通信部４４とは、互いに広域ネットワーク３００を介した通信を行うことができる。
【００２１】
以下、料金体系選択支援システムの動作について説明する。
【００２２】
まず、複数の需要家９００のそれぞれに対応付けて設置された電力管理装置２は、需要家９００での電力購入量、需要家９００で契約されている電気料金体系に基づいて、直近の１ヶ月（対象期間）の各需要家９００における電気料金（月間電気料金）を定期的に算出する。そして、電力管理装置２は、月間電気料金のデータ、需要家９００における各種電力のデータ、需要家９００で契約されている電気料金体系のデータをサーバ４へ送信する。
【００２３】
具体的に、計測部１は、実需要電力、購入電力、自己消費電力、および売電電力を定期的に計測し、実需要電力、購入電力、自己消費電力、および売電電力の各計測結果を電力管理装置２へ無線送信する。電力管理装置２の無線通信部２６は、実需要電力、購入電力、自己消費電力、および売電電力の各計測結果を計測部１から受信する。
【００２４】
データ管理部２２は、実需要電力、購入電力、自己消費電力、および売電電力のそれぞれを１時間毎に時間積分する。そして、データ管理部２２は、実需要電力を時間積分した結果を１時間毎の実需要電力量のデータとして記憶部２１に格納する（記憶させる）。また、データ管理部２２は、購入電力を時間積分した結果を１時間毎の電力購入量のデータとして記憶部２１に格納する。また、データ管理部２２は、自己消費電力を時間積分した結果を１時間毎の自己消費電力量のデータとして記憶部２１に格納する。また、データ管理部２２は、売電電力を時間積分した結果を１時間毎の売電電力量のデータとして記憶部２１に格納する。また、計測部１が購入電力を計測する機能を備えていない場合、データ管理部２２は、［電力購入量＝実需要電力量−自己消費電力量］の算出式に基づいて電力購入量を算出してもよい。
【００２５】
さらに、記憶部２１は、需要家９００で契約されている電気料金体系のデータ、および売電単価のデータも記憶している。電気料金体系のデータとは、電気料金体系の種類と、時間帯毎の電気料金単価（買電単価）とのデータであり、需要家９００で契約されている電気料金体系に対応している。売電単価のデータは、発電電力の売電時に適用される。この電気料金体系のデータ、および売電単価のデータは、記憶部２１に予め格納されている。
【００２６】
具体的に、データ管理部２２は、１時間毎の実需要電力量、電力購入量、自己消費電力量、売電電力量、および電気料金単価を日時に対応付けたデータテーブル（表１参照）を生成して、記憶部２１に格納する。すなわち、記憶部２１は、需要家９００における各種電力の履歴を、電気料金単価に対応付けて格納している。ここで、［電力購入量＝実需要電力量−自己消費電力量］の関係にある。
【００２７】
【表１】
2015198524.tif 000003
【００２８】
そして、電力算出部２４は、需要家９００における直近の１ヶ月（対象期間）の電力購入量の総和（月間電力購入量）を算出する。
【００２９】
また、料金算出部２３は、表１に示すデータテーブルを参照して、需要家９００における直近の１ヶ月（対象期間）の電気料金（月間電気料金）を算出して、月間電気料金のデータを、電気料金に関するデータとして作成する。料金算出部２３は、この月間電気料金のデータの作成処理を定期的（例えば、１日毎、または１週間毎、または１ヶ月毎等）に行う。電気料金は、｛（電力購入量×電気料金単価）−（売電電力量×売電単価）｝で求められる。売電電力量×売電単価は、需要家９００における電力需要者の売電収入となる。なお、月間電力購入のデータと月間電気料金のデータとは、同一の対象期間（１ヶ月）に対応して生成される。
【００３０】
通信部２５は、需要家９００での月間電力購入量のデータ、需要家９００での月間電気料金のデータ、および需要家９００で契約されている電気料金体系のデータを定期的（例えば、１日毎、または１週間毎、または１ヶ月毎等）にサーバ４へ送信する。
【００３１】
サーバ４では、通信部４４が、需要家９００での月間電力購入量のデータ、需要家９００での月間電気料金のデータ、および需要家９００で契約されている電気料金体系のデータを、複数の需要家９００の電力管理装置２のそれぞれから受信する。通信部４４が受信した各データは、記憶部４１に格納される。表２は、記憶部４１に格納されているデータテーブルを示しており、このデータテーブルは、需要家情報、月間電力購入量、月間電気料金、電気料金体系、および最終更新日を互いに対応付けて構成される。需要家情報は、需要家９００毎に予め決められている識別情報（ＩＤ）、居住地、ユーザ名で構成されている。そして、電力管理装置２は、対応する需要家９００の識別情報を用いてサーバ４との間の通信を行っており、サーバ４は、受信したデータに付与された需要家９００の識別情報に基づいて、データの送信元の電力管理装置２を区別する。また、サーバ４は、需要家９００の識別情報、居住地、ユーザ名の対応関係の情報を予め保持している。
【００３２】
【表２】
2015198524.tif 000004
【００３３】
表２のデータテーブルの月間電力購入量には、複数の需要家９００のそれぞれの電力管理装置２から受信した月間電力購入量の最新データが格納される。表２のデータテーブルの月間電気料金には、複数の需要家９００のそれぞれの電力管理装置２から受信した月間電気料金の最新データが格納される。表２のデータテーブルの電気料金体系には、複数の需要家９００のそれぞれの電力管理装置２から受信した電気料金体系の最新データが格納される。表２のデータテーブルの最終更新日には、複数の需要家９００のそれぞれのデータの最新の更新日が格納される。
【００３４】
すなわち、記憶部４１は、複数の需要家９００のそれぞれに対応する複数の電力情報、複数の料金情報、複数の料金体系情報を記憶している。複数の電力情報のそれぞれは、対応する需要家９００で購入された月間電力購入量に関する情報である。複数の料金情報のそれぞれは、対応する需要家９００における電気料金に関する情報である。複数の料金体系情報のそれぞれは、対応する需要家９００における電気料金体系に関する情報である。つまり、サーバ４は、通信部４４で受信された月間電力購入量のデータを電力情報として、月間電気料金のデータを料金情報として、電気料金体系のデータを料金体系情報として、記憶部４１に記憶する。
【００３５】
そして、サーバ４は、当該サーバ４の管理対象となる全ての需要家９００の電力需要者のそれぞれに対して、電気料金体系の選択支援を行うための支援情報を作成し、各需要家９００に対応する表示端末３へ支援情報を送信する。
【００３６】
まず情報取得部４２は、管理対象となる全ての需要家９００から、支援情報の作成対象となる１つの需要家を第１需要家９０１に設定する。そして、情報取得部４２は、第１需要家９０１での月間電力購入量のデータを、記憶部４１から取得する。そして、情報取得部４２は、月間電力購入量が第１需要家９０１と同ランクにあるとみなせる需要家を、管理対象となる全ての需要家９００から第２需要家９０２として抽出する。
【００３７】
具体的に、情報取得部４２は、第１需要家９０１での月間電力購入量Ｐ１に所定値を加えた閾値Ｗ１を設定し（図３参照）、月間電力購入量が閾値Ｗ１以上である複数の需要家のそれぞれを第２需要家９０２として抽出する。
【００３８】
または、情報取得部４２は、第１需要家９０１での月間電力購入量Ｐ１以上に所定幅の範囲Ｗ２を設定し（図４参照）、月間電力購入量が範囲Ｗ２内に属する需要家を複数の第２需要家９０２として抽出してもよい。
【００３９】
また、情報取得部４２は、抽出した複数の第２需要家９０２の数が所定値より多い場合、上述の閾値Ｗ１をさらに低く設定したり、上述の範囲Ｗ２をさらに狭く設定することで、複数の第２需要家９０２の抽出数を所定値以内に収めることができる。
【００４０】
そして、情報取得部４２は、複数の第２需要家９０２のそれぞれに対して、複数の電力情報のうち当該第２需要家９０２での月間電力購入量に関する電力情報を記憶部４１から取得する。情報取得部４２は、複数の第２需要家９０２のそれぞれに対して、さらに複数の料金情報のうち当該第２需要家９０２での月間電気料金に関する料金情報を記憶部４１から取得する。情報取得部４２は、複数の第２需要家９０２のそれぞれに対して、複数の料金体系情報のうち当該第２需要家９０２での電気料金体系に関する料金体系情報を記憶部４１から取得する。情報生成部４３は、情報取得部４２で取得された少なくとも電力情報、料金情報、および料金体系情報を含む支援情報を生成する。この支援情報は、メッセージ情報であり、第１需要家９０１での月間電力購入量、月間電気料金、電気料金体系の各情報、および複数の第２需要家９０２の月間電力購入量、月間電気料金、電気料金体系の各情報が含まれる。そして、支援情報は、第１需要家９０１および複数の第２需要家９０２の各データを、月間電気料金が低い順にランキング表示することが好ましい。さらに、記憶部４１に需要家９００の地域情報（第２需要家９０２のある県等）を格納している場合、複数の第２需要家９０２の地域情報を支援情報に含めることも好ましい。
【００４１】
通信部４４は、第１需要家９０１に対応する表示端末３を送信先とする支援情報を広域ネットワーク３００に送出する。第１需要家９０１の電力管理装置２の通信部２５が広域ネットワーク３００経由で支援情報を受信すると、無線通信部２６が、表示端末３へ支援情報を無線通信で送信する。すなわち、電力管理装置２が、サーバ４と表示端末３間との通信を中継する。
【００４２】
表示端末３は、受信した支援情報を画面上に表示する。図５は、支援情報の表示例を示しており、第１需要家９０１および第２需要家９０２の各データを、月間電気料金が低い順にランキング表示している。なお、サーバ４は、支援情報が格納されたＵＲＬ（Uniform Resource Locator）情報を第１需要家９０１の表示端末３に通知し、表示端末３は、このＵＲＬにアクセスすることによって、支援情報を表示してもよい。
【００４３】
第１需要家９０１の電力需要者は、表示端末３に表示された支援情報を見ることによって、月間電気料金、月間電力購入量を他の需要家（第２需要家９０２）と比較することができる。したがって、第１需要家９０１の電力需要者は、月間電力購入量が同ランクにある一の第２需要家９０２の月間電気料金が第１需要家９０１より低い場合、この第２需要家９０２の電気料金体系に変更することを検討できる。
【００４４】
すなわち、サーバ４は、第１需要家９０１より割安に電気を使用している第２需要家９０２の情報（月間電気料金のランキングが第１需要家より上位の第２需要家９０２の情報）を、第１需要家９０１の表示端末３へ通知する。而して、サーバ４は、割安に電気を使用している第２需要家９０２の電気料金体系を、推奨する電気料金体系として第１需要家９０１へ通知できる。結果として、サーバ４は、第１需要家９０１の電力需要者へ推奨する電気料金体系を知らせる際に、お得感ではなく、現在の電気料金体系による損失感を与えることによって、電気料金体系の変更を第１需要家９０１の電力需要者に促すことができる。したがって、本実施形態の料金体系選択支援システムは、需要家が満足する電気料金体系への変更を、第１需要家９０１の電力需要者に決断させることができる。
【００４５】
また、情報取得部４２は、月間電気料金が第１需要家９０１より低いことを、第２需要家９０２の抽出条件に付加することが好ましい。この場合、情報取得部４２は、記憶部４１を参照して、月間電力購入量が第１需要家９０１と同ランクにあるとみなすことができ、且つ月間電気料金が第１需要家９０１より低い需要家を、第２需要家９０２として抽出する。而して、第２需要家９０２として、第１需要家９０１より月間電気料金が低い需要家のみの情報が提示される。したがって本システムでは、第１需要家９０１の電力需要者に対して、経済的に満足できる電気料金体系の情報のみを提示し、第１需要家９０１の電力需要者に対して電気料金体系の変更をより強く促すことができる。
【００４６】
さらに、情報取得部４２は、需要家９００の属性を用いて第２需要家９０２を抽出することが好ましい。例えば、複数の電力管理装置２のそれぞれは、対応する需要家９００の属性のデータを通信部２５（データ送信部）からサーバ４へ送信させる。サーバ４は、受信した属性のデータを送信元の電力管理装置２に対応する需要家９００に対応させて記憶部４１に記憶させる。情報取得部４２は、属性が第１需要家９０１と一致することを第２需要家９０２の抽出条件に付加する。
【００４７】
具体的に、需要家９００の属性とは、需要家９００が位置する地域、需要家９００内の人員構成（家族構成）、太陽電池、燃料電池、および風力発電装置等の分散電源の有無、分散電源の発電容量、建屋条件、主たる電気使用時間帯等である。建屋条件とは、需要家９００の建屋の延床面積、間取り、および木造造り／鉄筋コンクリート造り等である。主たる電気使用時間帯とは、需要家９００で電気が主に使用される時間帯（昼間／夜間）である。この需要家９００の属性は、需要家９００の電力需要者の操作によって記憶部２１に書き込まれて、記憶部２１は、対応する需要家９００の属性を格納している。
【００４８】
そして、電力管理装置２は、記憶部２１の属性データを定期的にサーバ４へ送信する。サーバ４は、受信した属性のデータを送信元の電力管理装置２に対応する需要家９００に対応させて記憶部４１に記憶させる。
【００４９】
この場合、情報取得部４２は、記憶部４１を参照して、月間電力購入量が第１需要家９０１と同ランクにあるとみなすことができ、且つ第１需要家９０１の属性に一致する需要家を、第２需要家９０２として抽出する。情報取得部４２は、第１需要家９０１に設定されている全ての属性に一致する第２需要家９０２を抽出してもよく、または第１需要家９０１に設定されている全ての属性のうち所定数以上の属性に一致する第２需要家９０２を抽出してもよい。
【００５０】
一般に、需要家９００の属性は、需要家９００の電力購入量、電気料金に影響を与える。したがって、月間電力購入量が第１需要家９０１と同ランクにある第２需要家９０２であっても、第１需要家９０１と第２需要家９０２の各属性が異なれば、適する電気料金体系も第１需要家９０１と第２需要家９０２とでは異なる場合がある。例えば、需要家９００が位置する地域の気候、気象条件によって電力購入量、および電気料金は変動し、需要家９００内の家族人数が多いほど電力購入量、および電気料金は増大し、建屋が広いほど電力購入量、電気料金は増大する。また、「朝得プラン」、「夜得プラン」、および「半日お得プラン」等の時間帯別料金を採用している需要家９００では、電気料金単価が安い時間帯に電気を集中して使用する傾向にあり、さらに需要家９００毎に電気を集中して使用する時間帯は異なる。
【００５１】
そこで、情報取得部４２は、第１需要家９０１と属性が一致することを第２需要家９０２の抽出条件に付加する。したがって、情報取得部４２は、第１需要家９０１の同じ属性を有する第２需要家９０２のみを抽出でき、第１需要家９０１に対してより適合する電気料金体系を提示することができる。また、第１需要家９０１の電力需要者は、電力管理装置２の記憶部２１に格納する属性データの種類を増やすほど、第１需要家９０１における電気料金体系を選択する上で参考となる第２需要家９０２の抽出精度を向上させることができる。
【００５２】
また、情報生成部４３は、第２需要家９０２の属性情報を支援情報に含めることが好ましい。この場合、第１需要家９０１の電力需要者は、表示端末３に表示された第２需要家９０２の属性情報を参考にして、さらなる電気料金の抑制にために必要な属性を知ることができる。
【００５３】
また、情報取得部４２は、第１需要家９０１と電気料金体系が一致することを第２需要家９０２の抽出条件に付加することができる。この場合、第２需要家９０２の属性情報を支援情報に含めることで、第１需要家９０１の電力需要者が、同じ電気料金体系を採用している第２需要家９０２の属性を確認できることが好ましい。例えば、時間帯別料金体系が採用されている第１需要家９０１であれば、同じ時間帯別料金体系が用いられながら割安に電気が購入されている第２需要家９０２の属性を参考にして、電気料金をさらに抑制できる方法を見つけ出すことができる。ここで、時間帯別料金体系とは、時間帯毎の電気料金単価（買電単価）が異なる料金体系である。
【００５４】
なお、電力管理装置２は、例えばＨＥＭＳ（Home Energy Management System）コントローラで構成されてもよい。この場合、計測部１は、分岐電路１０１のそれぞれで消費される電力（分岐電力）を計測する機能を有しており、電力管理装置２は、複数系統の分岐電路１０１のそれぞれの分岐電力のデータを用いて、ＨＥＭＳ（Home Energy Management System）を構築する。ＨＥＭＳにおいて、電力管理装置２は、分岐電力のデータを適宜の提示装置に提示することによって、電力消費量を見える化する機能を有する。またＨＥＭＳにおいて、電力管理装置２は、分岐電力のデータに基づいて、省電力化を目的とした電気機器２００の制御を行う機能を有する。
【００５５】
上述の実施形態の料金体系支援システムは、記憶部４１と、情報取得部４２と、情報生成部４３と、複数の表示端末３と、通信部４４とを備える。
【００５６】
記憶部４１は、複数の需要家９００のそれぞれで購入された電力購入量に関する複数の電力情報、複数の需要家９００のそれぞれにおける電気料金に関する複数の料金情報、複数の需要家９００のそれぞれにおける電気料金体系に関する複数の料金体系情報を記憶する。
【００５７】
情報取得部４２は、複数の需要家９００のうち第１需要家９０１の対象期間における電力購入量を上回る範囲を含む電力購入量の範囲内に対象期間における電力購入量が属する第２需要家９０２を複数の需要家９００から抽出する。そして、情報取得部４２は、複数の電力情報のうち第２需要家９０２で対象期間に購入された電力購入量に関する電力情報を記憶部４１から取得する。情報取得部４２は、さらに複数の料金情報のうち対象期間における第２需要家９０２の電気料金に関する料金情報、および複数の料金体系情報のうち第２需要家９０２の電気料金体系に関する料金体系情報を記憶部４１から取得する。
【００５８】
情報生成部４３は、情報取得部４２で取得された電力情報、料金情報、および料金体系情報を含む支援情報を生成する。複数の表示端末３のそれぞれは、複数の需要家９００のそれぞれに対応付けられる。通信部４４は、支援情報を複数の表示端末３のうち第１需要家９０１に対応する表示端末３へ送信する。第１需要家９０１に対応する表示端末３は、支援情報を画面に表示する。
【００５９】
したがって、料金体系支援システムは、第１需要家９０１の電力需要者が満足する電気料金体系への変更を、第１需要家９０１の電力需要者に決断させることができる。
【００６０】
また、情報取得部４２は、複数の需要家９００のうち、対象期間における第１需要家９０１の電気料金より低い電気料金の需要家９００を第２需要家９０２として抽出することを第２需要家９０２の抽出条件に付加することが好ましい。したがって、料金体系支援システムは、第１需要家９０１の電力需要者に対して、経済的に満足できる電気料金体系の情報のみを提示し、第１需要家９０１の電力需要者に対して電気料金体系の変更をより強く促すことができる。
【００６１】
また、サーバ４と、複数の電力管理装置２と、複数の計測部１とを備えることが好ましい。この場合、サーバ４は、記憶部４１、情報取得部４２、情報生成部４３、通信部４４を備える。複数の電力管理装置２のそれぞれは、複数の需要家９００のそれぞれに対応して設置されて、サーバ４と通信可能に構成される。複数の計測部１のそれぞれは、複数の需要家９００のそれぞれに対応して設置されて、対応する需要家９００で購入された電力を測定し、対応する電力管理装置２へ測定結果を送信する。
【００６２】
そして、複数の電力管理装置２のそれぞれは、電力算出部２４と、記憶部２１（需要家側記憶部）と、料金算出部２３と、通信部２５（データ送信部）とを備える。電力算出部２４は、複数の計測部１のうち対応する計測部１から受信した電力の測定結果に基づいて、複数の需要家９００のうち対応する需要家９００で購入された電力購入量に関するデータを作成する。記憶部２１は、複数の需要家９００のうち対応する需要家９００における電気料金体系に関するデータを記憶する。料金算出部２３は、複数の計測部１のうち対応する計測部１から受信した電力の測定結果および記憶部２１に記憶されている電気料金体系に関するデータに基づいて、電気料金に関するデータを作成する。通信部２５は、電力算出部２４が算出した電力購入量に関するデータ、記憶部２１に記憶されている電気料金体系に関するデータ、および料金算出部２３が作成した電気料金に関するデータをサーバ４へ送信する。サーバ４は、通信部２５から受信した電力購入量に関するデータを電力情報として、電気料金体系に関するデータを料金体系情報として、および電気料金に関するデータを料金情報として、記憶部４１に格納する。
【００６３】
したがって、料金体系支援システムは、サーバ４を用いて構成することができ、サーバ４において複数の需要家９００それぞれの電力購入量に関するデータ、電気料金体系に関するデータ、および電気料金に関するデータを一括管理することができる。また、サーバ４が、複数の需要家９００それぞれにおける支援情報を作成、送信するので、支援情報の作成、送信処理も一括管理できる。
【００６４】
また、記憶部４１は、さらに需要家９００の属性を複数の需要家９００のそれぞれに対応させて記憶している。情報取得部４２は、複数の需要家９００のうち、第１需要家９０１に対応する属性と一致する属性の需要家９００を第２需要家９０２として抽出することを第２需要家９０２の抽出条件に付加することが好ましい。
【００６５】
あるいは、複数の電力管理装置２のそれぞれは、対応する需要家９００の属性のデータを通信部２５（データ送信部）からサーバ４へ送信する。サーバ４は、受信した属性のデータを送信元の電力管理装置２に対応する需要家９００に対応させて記憶部２１に記憶させる。そして、情報取得部４２は、属性が第１需要家９０１と一致することを第２需要家９０２の抽出条件に付加することが好ましい。
【００６６】
したがって、情報取得部４２は、第１需要家９０１の同じ属性を有する第２需要家９０２のみを抽出でき、第１需要家９０１に対してより適合する電気料金体系を提示することができる。
【００６７】
また、複数の需要家９００のそれぞれに対応する属性は、対応する需要家９００が位置する地域、対応する需要家９００内の人員構成、分散電源の有無、分散電源の発電容量、対応する需要家９００の建屋条件のうち少なくとも１つ以上を含むことが好ましい。この場合、情報取得部４２は、電力購入量、電気料金への影響度が大きい属性を用いて第２需要家９０２を抽出することができる。
【００６８】
また、複数の需要家９００のそれぞれで購入された電力購入量は、当該需要家９００で実際に消費された実需要電力量から、分散電源（太陽電池７）の発電電力のうち当該需要家９００で消費された自己消費電力を差し引いた値であることが好ましい。この場合、料金体系支援システムは、電力購入量として、需要家９００で消費された発電電力を差し引いた実情に合ったデータを用いることができる。
【００６９】
また、電気料金は、電力購入量に対応する電気料金から需要家９００での売電による収入を差し引いた値であることが好ましい。この場合、料金体系支援システムは、電気料金として、需要家９００での売電収入を差し引いた実情に合ったデータを用いることができる。
【００７０】
上述の実施形態の料金体系支援方法において、記憶部４１は、複数の需要家９００のそれぞれで購入された電力購入量に関する複数の電力情報、複数の需要家９００のそれぞれにおける電気料金に関する複数の料金情報、および複数の需要家９００のそれぞれにおける電気料金体系に関する複数の料金体系情報を記憶する。
【００７１】
情報取得部４２は、複数の需要家９００のうち第１需要家９０１の対象期間における電力購入量を上回る範囲を含む電力購入量の範囲内に対象期間における電力購入量が属する第２需要家９０２を複数の需要家９００から抽出する。そして、情報取得部４２は、複数の電力情報のうち第２需要家９０２で対象期間に購入された電力購入量に関する電力情報を記憶部４１から取得する。情報取得部４２は、さらに複数の料金情報のうち対象期間における第２需要家９０２の電気料金に関する料金情報、および複数の料金体系情報のうち第２需要家９０２の電気料金体系に関する料金体系情報を記憶部４１から取得する。
【００７２】
情報生成部４３は、情報取得部４２で取得された電力情報、料金情報、および料金体系情報を含む支援情報を生成する。複数の表示端末３のそれぞれは、複数の需要家９００のそれぞれに対応付けられる。通信部４４は、支援情報を複数の表示端末３のうち第１需要家９０１に対応する表示端末３へ送信する。第１需要家９０１に対応する表示端末３は、支援情報を画面に表示する。
【００７３】
したがって、料金体系支援方法は、第１需要家９０１の電力需要者が満足する電気料金体系への変更を、第１需要家９０１の電力需要者に決断させることができる。
【００７４】
また、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図１】
2015198524.tif 000005
【図２】
2015198524.tif 000006
【図３】
2015198524.tif 000007
【図４】
2015198524.tif 000008
【図５】
2015198524.tif 000009
【国際調査報告】
2015198524.tif 000010
2015198524.tif 000011
2015198524.tif 000012